(57)【要約】【課題】本体機器に設けられるスロットに挿入されるカートリッジの位置決めを容易にする。【解決手段】記憶装置本体１００のスロット１５０にカートリッジ式ＨＤＤ２００ａが挿入される場合には、スロット１５０における凸部１６４とカートリッジ式ＨＤＤ２００ａの上面とが僅かな隙間を空けて位置することになる。また、スロット１５０における凸部１６６と、カートリッジ式ＨＤＤ２００ａにおける凹部２１６とが噛み合う。【選択図】図３
2011146085.tif 000002
【特許請求の範囲】
【請求項１】
カートリッジと、厚みの異なるカートリッジを挿入可能なスロットを有する本体機器とにより構成されるカートリッジシステムであって、
前記スロットは、第１の内壁面と前記第１の内壁面に対向する第２の内壁面とを有し、前記第１の内壁面における、前記カートリッジの厚みに対応する位置に第１の凸部を備え、
前記カートリッジは、前記スロットに挿入された場合に前記第１の内壁面に相対する面が、前記第１の凸部を避ける形状であるカートリッジシステム。
【請求項２】
前記カートリッジは、前記スロットに挿入された場合に前記第１の凸部に相対する位置に、第１の凹部を備える請求項１に記載のカートリッジシステム。
【請求項３】
前記第１の凸部は、前記厚みの異なるカートリッジのうち、最も厚みの小さいカートリッジが前記スロットに挿入された場合に、前記最も厚みの小さいカートリッジの上方となる位置に備えられている請求項１又は２に記載のカートリッジシステム。
【請求項４】
前記スロットは、前記第２の内壁面に第２の凸部を備え、
前記カートリッジは、前記スロットに挿入された場合に前記第２の凸部に相対する位置に第２の凹部を備える請求項１乃至３の何れかに記載のカートリッジシステム。
【請求項５】
前記第１の凸部と、前記第２の凸部とは、前記スロットの内壁面における非点対称の位置に備えられている請求項４に記載のカートリッジシステム。
【請求項６】
前記第１の内壁面は、第１の波長の波形形状であり、
前記第２の内壁面は、前記第１の波長と異なる第２の波長の波形形状であり、
前記カートリッジは、
前記スロットに挿入された場合に前記第１の内壁面に相対する面が、前記第１の波長に対応する第３の波長の波形形状であり、
前記スロットに挿入された場合に前記第２の内壁面に相対する面が、前記第２の波長に対応する第４の波長の波形形状である請求項１乃至５の何れかに記載のカートリッジシステム。
【請求項７】
前記第１の波長乃至前記第４の波長は、それぞれ所定範囲内で変化する波長である請求項６に記載のカートリッジシステム。
【請求項８】
前記スロットは、四隅の何れかに第３の凸部を備え、
前記カートリッジは、前記スロットに挿入された場合に前記第３の凸部に相対する位置に第３の凹部を備える請求項１乃至３の何れかに記載のカートリッジシステム。
【請求項９】
前記第３の凸部は、光透過性の部材である請求項７に記載のカートリッジシステム。
【発明の詳細な説明】
【技術分野】
【０００１】
本発明は、カートリッジと、当該カートリッジが挿入されるスロットを有する本体機器とにより構成されるカートリッジシステムに関する。
【背景技術】
【０００２】
近年、ハードディスクドライブ（ＨＤＤ）等の記憶媒体を可搬性のあるカートリッジとし、再生装置等の本体機器に挿入して使用することが提案されている。このようなカートリッジには、形状の異なるものが存在する。このため、本体機器には、一般にカートリッジの形状毎に、当該カートリッジを挿入するためのスロットが設けられている（例えば、特許文献１及び２参照）。
【先行技術文献】
【特許文献】
【０００３】
【特許文献１】特開２００４−８６６７４号公報
【特許文献２】特許第４２５３８８７号公報
【発明の概要】
【発明が解決しようとする課題】
【０００４】
しかしながら、本体機器がカートリッジの形状毎にスロットを備えると、本体機器の大型化を招く。また、その後に、カートリッジの形状が統一化された場合には、使用されないスロットが存在することになる。このような問題に対して、スロットを共用化することが考えられる。しかしながら、スロットが共有化される場合には、当該スロットは、大型のカートリッジを挿入可能な形状となるため、小型のカートリッジが挿入される際の位置決めが困難であるという問題が残る。
【０００５】
そこで、本発明は、本体機器に設けられるスロットに挿入されるカートリッジの位置決めを容易にしたカートリッジシステムを提供することを目的とする。
【課題を解決するための手段】
【０００６】
上述した課題を解決するために、本発明は以下のような特徴を有している。まず、本発明の第１の特徴は、カートリッジ（カートリッジ式ＨＤＤ２００）と、厚みの異なるカートリッジを挿入可能なスロット（スロット１５０）を有する本体機器（記憶装置本体１００）とにより構成されるカートリッジシステム（ＮＡＳ）であって、前記スロットは、第１の内壁面（第１内壁面１６１）と前記第１の内壁面に対向する第２の内壁面（第２内壁面１６２）とを有し、前記第１の内壁面における、前記カートリッジの厚みに対応する位置に第１の凸部（凸部１６４）を備え、前記カートリッジは、前記スロットに挿入された場合に前記第１の内壁面に相対する面が、前記第１の凸部を避ける形状であることを要旨とする。
【０００７】
このようなカートリッジシステムでは、スロットの第１の内壁面に、カートリッジの厚みに対応する位置に第１の凸部が設けられている。このため、スロットにカートリッジが挿入された場合、当該カートリッジは、厚み方向の移動が規制されることになり、位置決めが容易になる。また、カートリッジは、スロットに挿入された場合に第１の内壁面に相対する面が、第１の凸部を避ける形状となっている。このため、第１の凸部の存在によって、カートリッジがスロットに挿入できなくなることはない。
【０００８】
本発明の第２の特徴は、前記カートリッジは、前記スロットに挿入された場合に前記第１の凸部に相対する位置に、第１の凹部（凹部２１４）を備えることを要旨とする。
【０００９】
本発明の第３の特徴は、前記第１の凸部は、前記厚みの異なるカートリッジのうち、最も厚みの小さいカートリッジが前記スロットに挿入された場合に、前記最も厚みの小さいカートリッジの上方となる位置に備えられていることを要旨とする。
【００１０】
本発明の第４の特徴は、前記スロットは、前記第２の内壁面に第２の凸部（凸部１６６）を備え、前記カートリッジは、前記スロットに挿入された場合に前記第２の凸部に相対する位置に第２の凹部（凹部２１６）を備えることを要旨とする。
【００１１】
本発明の第５の特徴は、前記第１の凸部と、前記第２の凸部とは、前記スロットの内壁面における非点対称の位置に備えられていることを要旨とする。
【００１２】
本発明の第６の特徴は、前記第１の内壁面は、第１の波長の波形形状であり、前記第２の内壁面は、前記第１の波長と異なる第２の波長の波形形状であり、前記カートリッジは、前記スロットに挿入された場合に前記第１の内壁面に相対する面が、前記第１の波長に対応する第３の波長の波形形状であり、前記スロットに挿入された場合に前記第２の内壁面に相対する面が、前記第２の波長に対応する第４の波長の波形形状であることを要旨とする。
【００１３】
本発明の第７の特徴は、前記第１の波長乃至前記第４の波長は、それぞれ所定範囲内で変化する波長であることを要旨とする。
【００１４】
本発明の第８の特徴は、前記スロットは、四隅の何れかに第３の凸部（規制部材１６８）を備え、前記カートリッジは、前記スロットに挿入された場合に前記第３の凸部に相対する位置に第３の凹部（切り欠き部２１８）を備えることを要旨とする。
【００１５】
本発明の第９の特徴は、前記第３の凸部は、光透過性の部材であることを要旨とする。
【発明の効果】
【００１６】
本発明によれば、本体機器に設けられるスロットに挿入されるカートリッジの位置決めが容易になる。
【図面の簡単な説明】
【００１７】
【図１】本発明の実施形態に係るＮＡＳの外観斜視図である。
【図２】本発明の実施形態に係るＮＡＳのスロット近傍の外観斜視図である。
【図３】本発明の実施形態に係るスロットにカートリッジ式ＨＤＤを挿入した第１の状態を示す図である。
【図４】本発明の実施形態に係る、凸部、規制部材、凹部、切り欠き部の他の例を示す図である。
【図５】本発明の実施形態に係るスロットにカートリッジ式ＨＤＤを挿入した第２の状態を示す図である。
【図６】本発明の実施形態に係るスロットにカートリッジ式ＨＤＤを挿入した第３の状態を示す図である。
【図７】本発明の実施形態に係るスロットにカートリッジ式ＨＤＤを挿入した第４の状態を示す図である。
【図８】本発明の実施形態に係るスロットにカートリッジ式ＨＤＤを挿入した第５の状態を示す図である。
【発明を実施するための形態】
【００１８】
次に、図面を参照して、本発明の実施形態を説明する。以下の実施形態における図面の記載において、同一又は類似の部分には同一又は類似の符号を付している。
【００１９】
但し、図面は模式的なものであり、各寸法の比率などは現実のものとは異なることに留意すべきである。従って、具体的な寸法等は以下の説明を参酌して判断すべきものである。また、図面相互間においても互いの寸法の関係や比率が異なる部分が含まれていることは勿論である。
【００２０】
以下においては、ネットワーク対応型の記憶装置であるＮＡＳ（Network Attached Storage）に対して、本発明のカートリッジシステムを適用した場合の実施形態について説明する。
【００２１】
本実施形態に係るＮＡＳは、着脱可能な記憶媒体を有する。記憶媒体としては、磁気ディスクを用いるＨＤＤ（Hard Disk Drive）を使用するカートリッジを例示するが、ＨＤＤに代えて、不揮発性メモリを用いるＳＳＤ（Solid State Drive）、あるいは光学ドライブを使用してもよい。
【００２２】
以下、（１）ＮＡＳの全体構成、（２）ＮＡＳの詳細構成、（３）作用・効果、（４）その他の実施形態の順に説明する。
【００２３】
（１）ＮＡＳの全体構成
まず、図１及び図２を参照して、本実施形態に係るＮＡＳの構成について説明する。
【００２４】
図１は、本実施形態に係るＮＡＳの外観斜視図である。また、図２は、本実施形態のＮＡＳのスロット近傍の外観斜視図である。
【００２５】
本実施形態では、本体機器としての記憶装置本体１００と、カートリッジとしてのカートリッジ式ＨＤＤ２００とによってＮＡＳが構成される。
【００２６】
記憶装置本体１００には、２つのスロット１５０が設けられている。この２つのスロット１５０のそれぞれには、カートリッジ式ＨＤＤ２００が挿入される。これにより、記憶装置本体１００に設けられたコネクタ１５２と、カートリッジ式ＨＤＤ２００に設けられたコネクタ２０２とが接続される。コネクタ１５２とコネクタ２０２とが接続されると、記憶装置本体１００は、スロット１５０に挿入されたカートリッジ式ＨＤＤ２００に対するデータの書き込み及び読み出し等を行うことが可能となる。
【００２７】
カートリッジ式ＨＤＤ２００は、カートリッジ内にＨＤＤを収納したものであり、記憶装置本体１００に着脱可能に構成されている。
【００２８】
記憶装置本体１００にカートリッジ式ＨＤＤ２００を着脱可能に構成することで、カートリッジ式ＨＤＤ２００の記憶容量が不足している場合には他のカートリッジ式ＨＤＤ２００により記録できる。また、記憶させるデータの属性毎にカートリッジ式ＨＤＤ２００を使い分けることができる。
【００２９】
（２）ＮＡＳの詳細構成
図３は、スロット１５０にカートリッジ式ＨＤＤ２００ａ、２００ｂ及び２００ｃを挿入した第１の状態を示す図である。
【００３０】
図３（ａ）、（ｂ）及び（ｃ）に示すように、スロット１５０には、厚みの異なる３種類のカートリッジ式ＨＤＤ２００ａ、２００ｂ及び２００ｃが挿入可能である。
【００３１】
カートリッジ式ＨＤＤ２００ａ、２００ｂ及び２００ｃは、幅及び奥行きは同一寸法であり、厚みのみが異なる。具体的には、カートリッジ式ＨＤＤ２００ａは最も厚みが小さく、例えば、７．５ｍｍであり、カートリッジ式ＨＤＤ２００ｃは最も厚みが大きく、例えば、１２．５ｍｍであり、カートリッジ式ＨＤＤ２００ｂはカートリッジ式ＨＤＤ２００ａとカートリッジ式ＨＤＤ２００ｃの中間の厚みであり、例えば、９．５ｍｍである。
【００３２】
図３（ａ）乃至（ｃ）に示すように、スロット１５０における第１内壁面１６１には、内方に突出する、第１の凸部としての凸部１６４が設けられている。この凸部１６４は、図３（ａ）に示すように、最も厚みの小さいカートリッジ式ＨＤＤ２００ａがスロット１５０に挿入された場合に、カートリッジ式ＨＤＤ２００ａの上面との間に僅かな隙間が生じるような位置に設けられている。
【００３３】
また、図３（ａ）乃至（ｃ）に示すように、スロット１５０における、第１内壁面１６１と対向する第２内壁面１６２には、内方に突出する、第２の凸部としての凸部１６６が設けられている。この凸部１６６は、図３（ａ）に示すように、カートリッジ式ＨＤＤ２００ａがスロット１５０に挿入された場合の当該カートリッジ式ＨＤＤ２００ａの上面よりも低い位置に設けられており、スロット１５０の内壁面において、凸部１６４と凸部１６６とは、非点対称の位置に備えられている。
【００３４】
また、図３（ａ）乃至（ｃ）に示すように、スロット１５０における四隅のうち、第１内壁面１６１の下端に相当する位置には、第３の凸部としての三角柱の形状を有する規制部材１６８が設けられている。規制部材１６８は、光透過性の部材である。
【００３５】
一方、図３（ａ）乃至（ｃ）に示すように、カートリッジ式ＨＤＤ２００ａ、２００ｂ及び２００ｃは、スロット１５０に挿入された場合に、第１側面２１１が第１内壁面１６１に相対し、第２側面２１２が第２内壁面１６２に相対する。
【００３６】
図３（ｂ）に示すように、カートリッジ式ＨＤＤ２００ｂがスロット１５０に挿入された場合に、第１側面２１１における、凸部１６４に相対する位置には、第１の凹部としての凹部２１４が設けられている。
【００３７】
また、図３（ｃ）に示すように、カートリッジ式ＨＤＤ２００ｃがスロット１５０に挿入された場合に、第１側面２１１における、凸部１６４に相対する位置には、第１の凹部としての凹部２１４が設けられている。
【００３８】
また、図３（ａ）乃至（ｃ）に示すように、カートリッジ式ＨＤＤ２００ａ、２００ｂ及び２００ｃがスロット１５０に挿入された場合に、第２側面２１２における、凸部１６６に相対する位置には、第２の凹部としての凹部２１６が設けられている。
【００３９】
また、図３（ａ）乃至（ｃ）に示すように、カートリッジ式ＨＤＤ２００ａ、２００ｂ及び２００ｃがスロット１５０に挿入された場合に、第１側面２１１における、規制部材１６８に相対する位置には、第３の凹部としての切り欠き部２１８が設けられている。
【００４０】
（３）作用・効果
上述したＮＡＳによれば、スロット１５０に、厚みの異なる３種類のカートリッジ式ＨＤＤ２００ａ、２００ｂ及び２００ｃが挿入される場合に、それぞれのカートリッジ式ＨＤＤの位置が固定される。
【００４１】
具体的には、図３（ａ）に示すように、記憶装置本体１００のスロット１５０にカートリッジ式ＨＤＤ２００ａが挿入される場合には、スロット１５０における凸部１６４とカートリッジ式ＨＤＤ２００ａの上面とが僅かな隙間を空けて位置することになる。また、スロット１５０における凸部１６６と、カートリッジ式ＨＤＤ２００ａにおける凹部２１６とが噛み合う。従って、スロット１５０に挿入されたカートリッジ式ＨＤＤ２００ａの位置が固定される。
【００４２】
また、図３（ｂ）に示すように、記憶装置本体１００のスロット１５０にカートリッジ式ＨＤＤ２００ｂが挿入される場合には、スロット１５０における凸部１６４が、カートリッジ式ＨＤＤ２００ａの凹部２１４に嵌り、更には、スロット１５０における凸部１６６と、カートリッジ式ＨＤＤ２００ｂにおける凹部２１６とが噛み合う。従って、スロット１５０に挿入されたカートリッジ式ＨＤＤ２００ｂの位置が固定される。
【００４３】
更には、図３（ｃ）に示すように、記憶装置本体１００のスロット１５０にカートリッジ式ＨＤＤ２００ｃが挿入される場合には、スロット１５０における凸部１６４と、カートリッジ式ＨＤＤ２００ａの凹部２１４とが噛み合い、更には、スロット１５０における凸部１６６と、カートリッジ式ＨＤＤ２００ｂにおける凹部２１６とが噛み合う。従って、スロット１５０に挿入されたカートリッジ式ＨＤＤ２００ｃの位置が固定される。
【００４４】
また、スロット１５０には、凸部１６４及び１６６とともに規制部材１６８が設けられ、一方、カートリッジ式ＨＤＤ２００ａ、２００ｂ及び２００ｃにおいて、スロット１５０に挿入された場合に規制部材１６８に相対する位置には、切り欠き部１６８が設けられている。これにより、スロット１５０の内壁面は非点対称となる。また、スロット１５０の内壁面において、凸部１６４と凸部１６６とは、非点対称の位置に備えられている。このため、カートリッジ式ＨＤＤ２００ａ、２００ｂ及び２００ｃを上下反転させた場合には、当該カートリッジ式ＨＤＤ２００ａ、２００ｂ及び２００ｃは、スロット１５０に挿入不可能となる。従って、挿入ミスが防止される。
【００４５】
更には、規制部材１６８は、光透過性の部材であるため、スロット１５０における挿入方向の前側の内壁面に、カートリッジ式ＨＤＤ２００ａ等に対するアクセス状態、書き込み可否の状態、通信状態等に応じて点灯するＬＥＤ等の光源が設けられている場合には、当該光源からの光を外部に照射させることができ、利用者は、光の照射状態によって、カートリッジ式ＨＤＤ２００ａ等の各種状態を認識できる。
【００４６】
（４）その他の実施形態
本発明は実施形態によって記載したが、この開示の一部をなす論述及び図面はこの発明を限定するものであると理解すべきではない。この開示から当業者には様々な代替実施形態、実施例及び運用技術が明らかとなる。
【００４７】
上述した実施形態では、凸部１６４及び１６６、規制部材１６８、凹部２１４及び２１６、切り欠き部２１８は、図３に示す形状であったが、これに限定されず、例えば、図４（ａ）、（ｂ）及び（ｃ）に示すような形状であってもよい。
【００４８】
また、図５は、スロット１５０にカートリッジ式ＨＤＤ２００ｄ、２００ｅ及び２００ｆを挿入した第２の状態を示す図である。
【００４９】
図５（ａ）、（ｂ）及び（ｃ）に示すように、スロット１５０には、厚みの異なる３種類のカートリッジ式ＨＤＤ２００ｄ、２００ｅ及び２００ｆが挿入可能である。また、カートリッジ式ＨＤＤ２００ｄ、２００ｅ及び２００ｆは、幅及び奥行きは同一寸法であり、厚みのみが異なる。
【００５０】
スロット１５０における第１内壁面１６１は、第１の波長の波形形状となっている。また、スロット１５０における第２内壁面１６２は、第１の波長よりも短い第２の波長の波形形状となっている。
【００５１】
一方、カートリッジ式ＨＤＤ２００ｄ、２００ｅ及び２００ｆにおける第１側面２１１は、当該カートリッジ式ＨＤＤ２００ｄ、２００ｅ及び２００ｆがスロット１５０に挿入された場合に、当該第１側面２１１が第１内壁面１６１と僅かな隙間を空けて相対するように、第１の波長に対応する第３の波長の波形形状となっている。ここで、第３の波長は、第１の波長とほぼ同一の波長である。また、カートリッジ式ＨＤＤ２００ｄ、２００ｅ及び２００ｆにおける第２側面２１２は、当該カートリッジ式ＨＤＤ２００ｄ、２００ｅ及び２００ｆがスロット１５０に挿入された場合に、当該第２側面２１２が第２内壁面１６２と僅かな隙間を空けて相対するように、第２の波長に対応する第４の波長の波形形状となっている。ここで、第４の波長は、第２の波長とほぼ同一の波長である。
【００５２】
このように、スロット１５０における第１内壁面１６１と第２内壁面１６２とが異なる波長の波形形状であり、カートリッジ式ＨＤＤ２００ｄ、２００ｅ及び２００ｆにおける第１側面２１１と第２側面２１２とが異なる波長の波形形状であって、且つ、第１側面２１１の波長が第１内壁面１６１の波長に対応し、第２側面２１２の波長が第２内壁面１６２の波長に対応するようにすることで、スロット１５０に挿入されたカートリッジ式ＨＤＤ２００ｄ、２００ｅ及び２００ｆの位置が固定される。更には、スロット１５０は、点対称にはならず、カートリッジ式ＨＤＤ２００ｄ、２００ｅ及び２００ｆを上下反転させた場合には、当該カートリッジ式ＨＤＤ２００ｄ、２００ｅ及び２００ｆは、スロット１５０に挿入不可能となる。従って、挿入ミスが防止される。
【００５３】
なお、図６のスロット１５０にカートリッジ式ＨＤＤ２００ｇを挿入した第３の状態を示す図のように、スロット１５０における第１内壁面１６１及び第２内壁面１６２、カートリッジ式ＨＤＤ２００ｇにおける第１側面２１１及び第２側面２１２のそれぞれの波長は、単一の波長でなく、下方から上方に向けて波長が短くなるような所定範囲内で変化する波長であってもよい。
【００５４】
更には、図７のスロット１５０にカートリッジ式ＨＤＤ２００ｈを挿入した第４の状態を示す図や、図８のスロット１５０にカートリッジ式ＨＤＤ２００ｉを挿入した第５の状態を示す図のように、スロット１５０の内壁面は非点対称であればよい。
【００５５】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００５６】
本発明のカートリッジシステムは、本体機器に設けられるスロットに挿入されるカートリッジの位置決めを容易にでき、カートリッジシステムとして有用である。
【符号の説明】
【００５７】
１００…記憶装置本体、１５０…スロット、１５２…コネクタ、１６１…第１内壁面、１６２…第２内壁面、１６４、１６６…凸部、１６８…規制部材、２００、２００ａ、２００ｂ、２００ｃ、２００ｄ、２００ｇ、２００ｈ…カートリッジ式ＨＤＤ、２０２…コネクタ、２１１…第１側面、２１２…第２側面、２１４、２１６…凹部、２１８…切り欠き部
【図１】
2011146085.tif 000003
【図２】
2011146085.tif 000004
【図３】
2011146085.tif 000005
【図４】
2011146085.tif 000006
【図５】
2011146085.tif 000007
【図６】
2011146085.tif 000008
【図７】
2011146085.tif 000009
【図８】
2011146085.tif 000010